(57)【要約】【課題】長時間にわたって装置を常時装着することなく、血圧変動パターンを捕捉できる血圧計を提案する。【解決手段】血圧計は、血圧測定部１６での測定値と測定時刻とを対応付けて血圧記憶部１７に記憶する。ＣＰＵ１１においてプログラムが実行されることで、その時刻に基づいて測定値が血圧記憶部１７から抽出され、複数の測定日で得られた測定値を統合して、時間帯ごとの血圧平均値を算出する処理や、血圧変動曲線を得るための処理に用いられる。【選択図】図１
2007282668.tif 000002
【特許請求の範囲】
【請求項１】
血圧を測定する血圧測定手段と、
前記血圧測定手段により血圧測定を行なった時点の少なくとも時刻を含む時間情報を供給する計時手段と、
前記血圧測定の結果得られた測定値を前記時間情報と関連づけて記憶する記憶手段と、  前記記憶手段に記憶された複数の測定値に対して、各々に対応付けられた時刻を用いて処理を行なって特定期間の血圧変動を算出する血圧統合手段とを備える、血圧計。
【請求項２】
前記血圧統合手段は、前記記憶手段に記憶されている測定値のうち、１日の少なくとも一部の時間帯に含まれる時刻に対応付けられた測定値であって、少なくとも前記測定値のうちの一部の平均値である血圧平均値を算出する、請求項１に記載の血圧計。
【請求項３】
時刻を指定する時刻選択手段と、
指定された時刻に対応する時間帯の前記血圧平均値を表示する表示手段とをさらに備える、請求項２に記載の血圧計。
【請求項４】
前記血圧統合手段は、前記記憶手段に記憶された測定値の少なくとも一部を用いて、前記測定値と前記測定値に関連付けられた時間情報とに基づいて連続的な時刻に対応した血圧値を推定する血圧推定関数を算出する、請求項１に記載の血圧計。
【請求項５】
時刻を指定する時刻選択手段と、
指定された時刻に対応する時間帯の前記血圧推定関数を用いて前記血圧推定値を表示する表示手段とをさらに備える、請求項４に記載の血圧計。
【請求項６】
前記記憶手段に記憶されている測定値の、前記特定期間での時間的な分布を評価する測定値分布評価手段をさらに備え、
前記血圧統合手段は、前記測定値分布評価手段において前記測定値の時間的な分布が均一な分布であるか否かを表わす条件を満足している場合に血圧変動を算出する、請求項１に記載の血圧計。
【請求項７】
前記条件は、所定の時間に含まれる測定値の個数に基づくものである、請求項６に記載の血圧計。
【請求項８】
前記測定値分布評価手段は、前記記憶手段に記憶された測定値の総数を用いて前記評価を行なう、請求項６に記載の血圧計。
【請求項９】
前記測定値分布評価手段は、前記記憶手段に記憶された測定値に関連付けられた前記時間情報を用いて前記評価を行なう、請求項６に記載の血圧計。
【請求項１０】
前記血圧統合手段は、前記記憶手段に記憶された測定値の少なくとも一部を用いて、前記測定値と前記測定値に関連付けられた時間情報とに基づいて連続的な時刻に対応した血圧値を推定する血圧推定関数を算出し、
前記測定値分布評価手段は、前記記憶手段に記憶された測定値それぞれについて前記血圧推定関数が与える同一時刻の血圧推定値との差を誤差として算出し、その誤差に基づいて前記評価を行なう、請求項６に記載の血圧計。
【請求項１１】
前記計時手段は曜日に関連する時間情報を供給し、前記血圧統合手段は、前記記憶手段に記憶された測定値を曜日に基づく少なくとも１つのグループに分類して前記血圧変動を算出する、請求項１〜１０のいずれかに記載の血圧計。
【請求項１２】
測定時刻を供給する測定時刻供給手段と、
前記測定時刻に基づいて、血圧測定を行なうべき時刻になった時に、そのことを使用者に報知する報知手段とをさらに備える、請求項１〜１０のいずれかに記載の血圧計。
【請求項１３】
測定時刻を供給する測定時刻供給手段と、
前記測定時刻に基づいて、血圧測定を行なうべき時刻になった時に、血圧測定を自動的に起動するように制御する制御手段とをさらに備える、請求項１〜１０のいずれかに記載の血圧計。
【請求項１４】
前記測定時刻供給手段は第１の測定日における第１測定時刻と第２の測定日における第２測定時刻とを供給し、前記第１測定時刻と前記第２測定時刻とは異なる時刻である、請求項１２または１３に記載の血圧計。
【請求項１５】
血圧計と情報処理装置とを含み、
前記血圧計は、
血圧を測定する血圧測定手段と、
前記血圧測定手段により血圧測定を行なった時点の少なくとも時刻を含む時間情報を供給する計時手段と、
前記血圧測定の結果得られた測定値を前記時間情報と関連づけて前記情報処理装置に対して出力する出力手段とを備え、
前記情報処理装置は、
前記血圧計より、前記測定値と前記時間情報とを対応付けて取得し、記憶装置に格納する取得手段と、
一日の時間をＮ分割して処理対象の時間としたときに、前記記憶装置より、第１〜第Ｎの処理対象の時間に含まれる時刻を含む時間情報が対応付けられている測定値を、各々、抽出する抽出手段と、
第１〜第Ｎの前記処理対象の時間について、各々、前記抽出ステップで抽出された測定値の平均を算出する算出手段と、
第１〜第Ｎの前記処理対象の時間についての測定値の平均を表示する表示手段とを備える、血圧測定システム。
【請求項１６】
前記血圧計の前記出力手段と前記情報処理装置の前記取得手段とは、通信を行なって前記測定値と前記時間情報とを送受信する、請求項１５に記載の血圧測定システム。
【請求項１７】
前記血圧計の前記出力手段は、前記情報処理装置に対し記録媒体を介して前記測定値と前記時間情報とを出力し、
前記情報処理装置の取得手段は、前記記録媒体を読出して前記測定値と前記時間情報とを取得する、請求項１６に記載の血圧測定システム。
【請求項１８】
血圧計を用いた血圧測定の結果得られた測定値に対する処理をコンピュータに実行させるプログラムであって、
前記血圧計より、前記測定値と、前記血圧測定を行なった時点の少なくとも時刻を含む時間情報とを対応付けて取得し、記憶装置に格納するステップと、
一日の時間をＮ分割して処理対象の時間としたときに、前記記憶装置より、第１〜第Ｎの処理対象の時間に含まれる時刻を含む時間情報が対応付けられている測定値を、各々、抽出するステップと、
第１〜第Ｎの前記処理対象の時間について、各々、前記抽出ステップで抽出された測定値の平均を算出するステップと、
第１〜第Ｎの前記処理対象の時間についての測定値の平均を表示するステップとを実行させる、測定データ処理プログラム。
【請求項１９】
血圧計を用いた血圧測定の結果得られた測定値に対する処理をコンピュータに実行させるプログラムであって、
前記血圧計より、前記測定値と、前記血圧測定を行なった時点の少なくとも時刻を含む時間情報とを対応付けて取得するステップと、
前記測定値と前記時間情報との対応を用いて、血圧値を時刻を変数とする多次元方程式で表わしたときの係数を決定するステップと、
前記多次元方程式で表わされる曲線を血圧変動曲線として表示するステップとを実行させる、測定データ処理プログラム。
【請求項２０】
指定された時刻における血圧値を推定するステップをさらに実行させる、請求項１８または１９に記載の測定データ処理プログラム。
【発明の詳細な説明】
【技術分野】
【０００１】
この発明は血圧計、血圧測定システムおよび測定データ処理プログラムに関し、特に、血圧値の変動を知ることのできる血圧計、血圧測定システムおよび測定データ処理プログラムに関する。
【背景技術】
【０００２】
血圧が１日のうちでも大きく変動することはよく知られている。この血圧の１日のうちの変動を血圧の日内変動という。日内変動のパターンには大きな個人差がある。また、最近では、１週間のうちでも個人に特有の変動パターンが存在することが分かってきている。そして、その変動パターンによっては、高血圧性疾患の発症率が高くなることが多くの研究によって明らかにされている。
【０００３】
たとえば、早朝高血圧は、通常は正常であるのに、起床前後１〜２時間の血圧が特異的に高い日内変動パターンを示す病態である。また、夜間高血圧は、睡眠中の血圧が高い病態である。これらはいずれも、脳や心臓の疾患の危険因子とされ、突然死にも強く関わっているとされる。さらに、最近注目される職場高血圧とは、就労日の昼間だけ血圧が特異的に高く、週末などの不就労日や夜間には正常値を示す状態を言う。これらの血圧変動パターンは、さらに日によっても変化し、日差変動と呼ばれる。たとえば、マンディ・サージ（Monday surge）は、休暇を終えて就労日の初日に特に血圧が高いことを言う。
【０００４】
このように血圧の変動パターンは様々あり、血圧を計測してその変動パターンを把握することが高血圧の診断・治療に有用とされ始めている。つまり、従来のように外来診察で血圧を１ポイント測定しただけでは、患者の真の病態を把握できない。逆に、血圧の変動パターンを捉えられれば、降圧剤の処方、具体的には薬剤の量や服薬の時間などを調節することによって、より高品位な高血圧治療が可能になると期待されている。
【０００５】
一般に、血圧の変動パターンを捕捉するために、自由行動下血圧モニタ（以下、ＡＢＰＭ（Ambulatory Blood Pressure Monitor）が用いられる。ＡＢＰＭは、腕帯を上腕に装着し、小型の自動血圧計を常時携行し、それが定期的に血圧の測定・記録を行なう構成のモニタである。
【特許文献１】特開２００４−２６１４５２号公報
【非特許文献１】岳マチ子・他７名，「携帯型血圧連続測定装置ＡＢＰＭ−６３０の信頼性と血圧日内変動の再現性」，東京女子医大誌，１９９０年５月，第６０巻第５号第４３０ページ〜第４３７ページ
【発明の開示】
【発明が解決しようとする課題】
【０００６】
しかしながら、この手法には以下のような多くの問題がある。
まず、ＡＢＰＭは高価である上、個人で購入して日常的に用いるものではない。そのため、医療施設が購入し、患者に貸し出して用いられるのが通常である。しかし、複数の患者に貸与しなければならないため、一人の患者への貸し出し期間が制限される。そこで、通常は、１日間、多くても２日間の測定に留まる。しかし、前述のように血圧の変動パターンには日差変動があるため、たまたま測定した日の血圧データが、その人の典型的な変動パターンを示すとは限らない。このため、ここ数年、ＡＢＰＭで得られた血圧データの再現性が問題視されている。具体的には、相異なる日にＡＢＰＭを用いて、２回血圧データの測定を行なって結果を比較したところ、たとえば夜間高血圧の有無の診断結果は２０〜３０％の割合で覆されることが、上記非特許文献１などの複数の臨床研究で報告されている。つまり、第１の問題として、医療施設からの借り物であって、限られた日数しか使用できないＡＢＰＭでは、正確な血圧変動パターンは捉えられないという問題がある。
【０００７】
第２の問題として、被検者である患者自身の認容性の問題がある。ＡＢＰＭ使用時には常に腕帯を装着し続けなければならない上、腰などに箱状の血圧計本体を携帯する必要がある。また、腕帯と血圧計本体との間は、腕帯に空気を供給するためのチューブで接続されなければならない。さらに、日常活動下で腕帯がずれ落ちるのを防止するために、肩部にバンド状の固定具を装着しなければならないのが一般的である。この状態で、一旦血圧測定が起動された際には、正確な測定となるよう数十秒にわたって身体活動や会話を中断する必要がある。また、夏季などでは常時装着した腕帯の内部が蒸れたり、異臭を放ったりすることなどにより不快感を感じる被検者も多い。特に、ＡＢＰＭの腕帯は他人が使用したものであるため、不快感は強調される。また、ＡＢＰＭは入浴時に取り外さなければならないが、腕帯の装着などが確実にできないと医師が判断した際には、入浴が禁止される場合もある。このような多くの理由から、ＡＢＰＭは被検者の認容性が低い検査と言われている。必要であるにも関わらず、施行を拒否する患者も少なくない。
【０００８】
第３の問題として、この認容性の低い検査を受けること自体が、血圧測定の精度に大きく影響するという問題がある。つまり、生活活動を制限されることや、人目が気になること、さらに異臭や不潔感に曝されることなどが精神的なストレスの原因になり、心因性の血圧上昇をもたらすとされる。この血圧上昇効果はｎｏｖｅｌ  ｅｆｆｅｃｔと言われ、実験的にＡＢＰＭでの測定を連日施行した場合、３日〜４日目まで持続すると報告されている。つまり、血圧自体に影響してしまうという観点から考えても、１日か２日しか施行されない通常のＡＢＰＭ検査では、真の血圧が捉えられていない可能性がある。
【０００９】
以上のように、ＡＢＰＭは、現段階では唯一血圧変動を捉えることのできる手段と考えられているが、ＡＢＰＭを用いて信頼性の高い測定を行なうことが難しいという問題がある。
【００１０】
本発明は上述の問題に鑑みてなされた発明であって、複数日に断片的に測定された血圧データを統合することによって、長時間にわたって装置を常時装着することなく、血圧変動パターンを捕捉できる血圧計、血圧測定システムおよび測定データ処理プログラムを提供することを目的とする。
【課題を解決するための手段】
【００１１】
上記目的を達成するために、本発明のある局面に従うと、血圧計は、血圧を測定する血圧測定手段と、血圧測定手段により血圧測定を行なった時点の少なくとも時刻を含む時間情報を供給する計時手段と、血圧測定の結果得られた測定値を時間情報と関連づけて記憶する記憶手段と、記憶手段に記憶された複数の測定値に対して、各々に対応付けられた時刻を用いて処理を行なって特定期間の血圧変動を算出する血圧統合手段とを備える。
【００１２】
また、血圧統合手段は、記憶手段に記憶されている測定値のうち、１日の少なくとも一部の時間帯に含まれる時刻に対応付けられた測定値であって、少なくとも上記測定値のうちの一部の平均値である血圧平均値を算出することが好ましい。
【００１３】
さらに、血圧計は、時刻を指定する時刻選択手段と、指定された時刻に対応する時間帯の血圧平均値を表示する表示手段とを備えることが好ましい。
【００１４】
また、血圧統合手段は、記憶手段に記憶された測定値の少なくとも一部を用いて、測定値と測定値に関連付けられた時間情報とに基づいて連続的な時刻に対応した血圧値を推定する血圧推定関数を算出することが好ましい。
【００１５】
さらに、血圧計は、時刻を指定する時刻選択手段と、指定された時刻に対応する時間帯の血圧推定関数を用いて血圧推定値を表示する表示手段とを備えることが好ましい。
【００１６】
また、記憶手段に記憶されている測定値の、特定期間での時間的な分布を評価する測定値分布評価手段をさらに備え、血圧統合手段は、測定値分布評価手段において測定値の時間的な分布が均一な分布であるか否かを表わす条件を満足している場合に血圧変動を算出することが好ましい。
【００１７】
さらに、上記条件は、所定の時間に含まれる測定値の個数に基づくものであることが好ましい。
【００１８】
または、測定値分布評価手段は、記憶手段に記憶された測定値の総数を用いて上記評価を行なうことが好ましい。
【００１９】
または、測定値分布評価手段は、記憶手段に記憶された測定値に関連付けられた時間情報を用いて上記評価を行なうことが好ましい。
【００２０】
または、血圧統合手段は、記憶手段に記憶された測定値の少なくとも一部を用いて、測定値と測定値に関連付けられた時間情報とに基づいて連続的な時刻に対応した血圧値を推定する血圧推定関数を算出し、測定値分布評価手段は、記憶手段に記憶された測定値それぞれについて血圧推定関数が与える同一時刻の血圧推定値との差を誤差として算出し、その誤差に基づいて上記評価を行なうことが好ましい。
【００２１】
また、計時手段は曜日に関連する時間情報を供給し、血圧統合手段は、記憶手段に記憶された測定値を曜日に基づく少なくとも１つのグループに分類して血圧変動を算出することが好ましい。
【００２２】
また、血圧計は、測定時刻を供給する測定時刻供給手段と、測定時刻に基づいて、血圧測定を行なうべき時刻になった時に、そのことを使用者に報知する報知手段とをさらに備えることが好ましい。
【００２３】
また、血圧計は、測定時刻を供給する測定時刻供給手段と、測定時刻に基づいて、血圧測定を行なうべき時刻になった時に、血圧測定を自動的に起動するように制御する制御手段とをさらに備えることが好ましい。
【００２４】
また、測定時刻供給手段は第１の測定日における第１測定時刻と第２の測定日における第２測定時刻とを供給し、第１測定時刻と第２測定時刻とは異なる時刻であることが好ましい。
【００２５】
本発明の他の局面に従うと、血圧計測定システムは血圧計と情報処理装置とを含み、血圧計は、血圧を測定する血圧測定手段と、血圧測定手段により血圧測定を行なった時点の少なくとも時刻を含む時間情報を供給する計時手段と、血圧測定の結果得られた測定値を時間情報と関連づけて情報処理装置に対して出力する出力手段とを備え、情報処理装置は、血圧計より、測定値と時間情報とを対応付けて取得し、記憶装置に格納する取得手段と、一日の時間をＮ分割して処理対象の時間としたときに、記憶装置より、第１〜第Ｎの処理対象の時間に含まれる時刻を含む時間情報が対応付けられている測定値を、各々、抽出する抽出手段と、第１〜第Ｎの処理対象の時間について、各々、抽出ステップで抽出された測定値の平均を算出する算出手段と、第１〜第Ｎの処理対象の時間についての測定値の平均を表示する表示手段とを備える。
【００２６】
さらに、血圧計の出力手段と情報処理装置の取得手段とは、通信を行なって測定値と時間情報とを送受信することが好ましい。
【００２７】
または、血圧計の出力手段は、情報処理装置に対し記録媒体を介して測定値と時間情報とを出力し、情報処理装置の取得手段は、上記記録媒体を読出して測定値と時間情報とを取得することが好ましい。
【００２８】
本発明のさらに他の局面に従うと、測定データ処理プログラムは、血圧計を用いた血圧測定の結果得られた測定値に対する処理をコンピュータに実行させるプログラムであって、血圧計より、測定値と、血圧測定を行なった時点の少なくとも時刻を含む時間情報とを対応付けて取得し、記憶装置に格納するステップと、一日の時間をＮ分割して処理対象の時間としたときに、記憶装置より、第１〜第Ｎの処理対象の時間に含まれる時刻を含む時間情報が対応付けられている測定値を、各々、抽出するステップと、第１〜第Ｎの処理対象の時間について、各々、抽出ステップで抽出された測定値の平均を算出するステップと、第１〜第Ｎの処理対象の時間についての測定値の平均を表示するステップとを実行させる。
【００２９】
本発明のさらに他の局面に従うと、測定データ処理プログラムは、血圧計を用いた血圧測定の結果得られた測定値に対する処理をコンピュータに実行させるプログラムであって、血圧計より、測定値と、血圧測定を行なった時点の少なくとも時刻を含む時間情報とを対応付けて取得するステップと、測定値と時間情報との対応を用いて、血圧値を時刻を変数とする多次元方程式で表わしたときの係数を決定するステップと、多次元方程式で表わされる曲線を血圧変動曲線として表示するステップとを実行させる。
【００３０】
さらに、測定データ処理プログラムは、指定された時刻における血圧値を推定するステップを実行させることが好ましい。
【発明の効果】
【００３１】
本発明にかかる血圧計が測定値と血圧測定を行なった時点の少なくとも時刻を含む時間情報とを対応付け、その時刻を用いて処理を行なって特定期間の血圧変動を算出することで、複数日に断片的に測定された血圧データを統合することができ、長時間にわたって装置を常時装着することなく、血圧変動パターンを捕捉できる。
【発明を実施するための最良の形態】
【００３２】
以下に、図面を参照しつつ、本発明の実施の形態について説明する。以下の説明では、同一の部品および構成要素には同一の符号を付してある。それらの名称および機能も同じである。
【００３３】
図１は、本実施の形態にかかる血圧計１の機器構成の具体例を示す図である。図１を参照して、血圧計１は、血圧測定のための処理を行なう装置を内蔵する筐体１０と、被験者に装着される腕帯（カフ）３０とを含んで構成され、これらはエアチューブ５０で接続される。
【００３４】
筐体１０は、ＣＰＵ（Central Processing Unit）１１と、血圧測定部１６と、血圧記憶部１７と、計時部１８とを内蔵する。また、表示器１２、測定開始スイッチ１３、血圧変動表示スイッチ１４、および時刻入力スイッチ１５が筐体１０の外面に配備される。
【００３５】
測定開始スイッチ１３は血圧測定を開始する操作に用いられる。血圧変動表示スイッチ１４は、時間帯ごとの血圧平均値や血圧変動曲線などの血圧変動を表示させる操作に用いられる。時刻入力スイッチ１５は、上述の時間帯ごとの血圧平均値や血圧変動曲線などの血圧変動を表示させる際に、使用者が所望する時間帯や、または所望する時刻を指示する時に用いられる。
【００３６】
ＣＰＵ１１はこれらスイッチ１３〜１５に接続され、これらのスイッチが操作されることによって発生する操作信号を受取る。操作信号に応じて、内蔵するメモリなどに格納されているプログラムが読出されてＣＰＵ１１において実行される。
【００３７】
ＣＰＵ１１は、上記スイッチ１３〜１５の他、表示器１２、血圧測定部１６、および血圧記憶部１７に接続される。上記プログラムの実行に従って、これらに対して必要な制御信号が出力される。
【００３８】
測定開始スイッチ１３から測定開始を指示する操作信号を受取ると、ＣＰＵ１１は血圧測定部１６に対して血圧測定動作を起動する制御信号を出力する。血圧測定部１６は制御信号にしたがってエアチューブ５０を介して腕帯３０の圧力を測定し、被験者の血圧を測定する。血圧測定部１６での血圧測定方法としては様々な原理の血圧測定方法が採用され得る。いずれも一般に広く知られた方法であり、本発明において採用される血圧測定方法は特定の方法に限定されない。得られた測定値は血圧測定部１６からＣＰＵ１１に送信される。また、血圧測定部１６は血圧記憶部１７に接続され、得られた測定値を血圧記憶部１７に記憶させる。血圧記憶部１７は、計時部１８にも接続され、時刻や曜日などの測定時に関する時間情報を受取って、それらを測定値に関連付けて記憶する。
【００３９】
また、血圧変動表示スイッチ１４および時刻入力スイッチ１５から時間帯ごとの血圧平均値や血圧変動曲線などの血圧変動の表示を指示する操作信号と、所望する時間帯または時刻を示す操作信号とを受取ると、ＣＰＵ１１は血圧記憶部１７にアクセスして記憶された複数の測定値を取得し、これらを用いて血圧変動値を算出する。
【００４０】
ＣＰＵ１１において得られた血圧測定値、または算出された血圧変動値は、表示させるための制御信号と共に表示器１２に出力される。
【００４１】
なお、血圧計１の構成要素には、図１に示された構成要素の他、実際に血圧計を構成するために必要な電源装置や電源スイッチなども含まれるものとする。これらの構成要素は広く一般に知られる機能を有する構成要素であり、本発明において特定の構成に限定されない。
【００４２】
図２は、血圧計１の動作の流れの具体例を示すフローチャートである。図２のフローチャートに示される処理は、ＣＰＵ１１がスイッチ１３〜１５からの操作信号に応じて内蔵するメモリなどに格納されているプログラムを読出して実行することで実現される。
【００４３】
図２を参照して、血圧計１では、ＣＰＵ１１において測定開始スイッチ１３が押されたことが検出されると（ステップＳ１１でＹＥＳ）、測定・記憶処理が実行される（ステップＳ１２）。また、血圧変動表示スイッチ１４が押されたことが検出されると（ステップＳ１３でＹＥＳ）血圧変動表示処理が実行され（ステップＳ１４）、さらに時刻入力スイッチ１５にて時刻が指定されたことが検出されると（ステップＳ１５でＹＥＳ）、指定された時刻の血圧値を表示する処理が実行される（ステップＳ１６）。
【００４４】
以降、上記ステップＳ１２，１４の各処理について説明する。
［測定・記憶処理］
図３は、測定・記憶処理を示すフローチャートである。図３を参照して、まず、上記ステップＳ１１でＣＰＵ１１において測定開始スイッチ１３が押されたことが検出されると、ステップ（以下、ＳＴ．）１０２で血圧測定部１６において血圧測定が実行される。ここでの血圧測定方法としては、上述のように一般に広く知られた方法が採用され得る。さらに、ＣＰＵ１１は、ＳＴ．１０３，１０４で収縮期血圧、拡張期血圧、および脈拍数などの測定値と、時間情報とを対応付けて血圧記憶部１７に記憶し、一連の動作を終了する。
【００４５】
図４は、血圧記憶部１７に記憶される測定結果の具体例を示す図である。図４を参照して、血圧記憶部１７は、測定結果として、収縮期血圧（ＳＢＰ：Systolic Blood Pressure）、拡張期血圧（ＤＢＰ：Diastolic Blood Pressure）、および脈拍数（ＰＲ：Pulse Rate）などの測定値と、曜日および時刻などの時間情報とを対応付けて記憶する。
【００４６】
測定値と対応付けられて記憶される時間情報には、本発明にかかる処理で用いられる時間情報として、最低限、曜日と時刻とが含まれればよい。後述する本発明にかかる処理では、血圧記憶部１７に記憶されているデータの識別には、時刻および／または曜日のみが用いられて日付が用いられない。このような対応付けがなされることで、異なる日に測定されたデータを時刻および／または曜日を用いて統合することが可能となる。もちろん、日付の情報も時間情報として記憶し、日数や期間を限定して複数のデータを統合することも考えられるし、他の処理において用いられることも考えられるが、ここでは説明を簡潔にするため、時間情報として曜日と時刻とのみが含まれるものとする。
【００４７】
［血圧平均値表示処理］
上記ステップＳ１４での血圧変動表示処理として、ここでは時間帯ごとの血圧平均値や推定値を表示する処理を説明する。
【００４８】
図５は、時間帯ごとの血圧平均値を表示する処理を示すフローチャートである。ここでは、時間帯を１時間ごとの間隔で（つまり、何時台という単位で）設定するものとして以下の説明を行なうが、これ以外にも数時間を１つの時間帯として設定することも考えられる。また、以下の処理の流れの説明は、収縮期血圧についてのものであるが、拡張期血圧と脈拍数とについても処理は同様である。
【００４９】
図５を参照して、まず、ＳＴ．１０１でＣＰＵ１１は時間帯のポインタｈを０に初期化し、ＳＴ．１０２で血圧記憶部１７に記憶されているデータのポインタｉ、平均値算出に用いるデータ数のカウンタｎ、および平均値算出に用いるデータの総和を保持する変数Σ（ｈ）をいずれも０に初期化する。
【００５０】
次にＳＴ．１０３で、データポインタｉで特定されるデータに対応する時間情報Ｔ（ｉ）が、平均値算出の対象範囲内であるかどうかが判断される。ここでは時間帯が１時間ごとの間隔に設定されているので、対象範囲内は、たとえばｈ＝０の場合、０:００〜０:５９（分単位の場合）である。時間情報Ｔ（ｉ）が範囲内と判定された場合は（ＳＴ．１０３でＹＥＳ）、ＳＴ．１０４においてＣＰＵ１１は変数Σ（ｈ）に測定値ＳＢＰ（ｉ）を加算すると共に、ＳＴ．１０５においてカウンタｎを１加算する。
【００５１】
次にＳＴ．１０６で、データポインタｉが１加算され、ＳＴ．１０７においてデータポインタｉがデータ記憶数ｉＭＡＸを超えたかが判定される。ｉ≦ｉＭＡＸであった場合には（ＳＴ．１０７でＮＯ）、ＳＴ．１０３に戻り、次のデータについて同じ処理が繰返される。
【００５２】
一方、ｉ＞ｉＭＡＸであった場合には（ＳＴ．１０７でＹＥＳ）、血圧記憶部１７にあるデータのうち条件に合うすべてのデータについての総和Σ（ｈ）とそのデータ数ｎとが決定され、ＳＴ．１０８において平均値ＡＳＢＰ（ｈ）＝Σ（ｈ）/ｎが算出される。その後、ＳＴ．１０９において時間帯のポインタｈが１加算され、ＳＴ．１１０において時間情報Ｔ（ｉ）が最後の時間帯（ｈ＝２４）を超えているか否かが判定される。超えていないと判定された場合には（ＳＴ１１０でＮＯ）、ＳＴ．１０２に戻って次の時間帯について同様の処理が繰返される。超えていると判定された場合には（ＳＴ１１０でＹＥＳ）、ＳＴ．１１１において平均値を表示器１２に表示するための処理を実行し、一連の処理を終了する。
【００５３】
このように、所定の時間幅ごとの間隔を基準に、複数の日にわたってさまざまな時間帯に測定された血圧測定値を統合し、一日の血圧変動として算出することが可能になる。
【００５４】
図６は、上記ＳＴ．１１１での処理の結果、表示器１２に表示される、１時間ごとの間隔の時間帯ごとの平均値である血圧変動表示の具体例を示す図である。図６に示されるように、上記ＳＴ．１１１では、以上の処理で得られた時間帯ごとの平均値を線分でつなぎ、複数の日にわたる血圧測定値を統合して一日の血圧変動を示すグラフを表示する処理が実行される。なお、平均値としての血圧変動の表示は、図６に示されるようなグラフ表示でもよいし、時間帯ごとの平均値をリスト状に表示してもよい。
【００５５】
図６に示される血圧変動表示がなされている状態において時刻入力スイッチ１５を用いて時刻の指定がなされた場合（上記ステップＳ１５でＹＥＳ）、ＣＰＵ１１は上記処理の結果得られた時間帯ごとの平均値から指定された時刻の平均値または指定された時刻を含む時間帯の平均値を取得して表示する。または、上記処理の結果得られた時間帯ごとの平均値から、指定された時刻の推定値を算出して表示する。ここでの算出方法は、簡単には、指定された時刻を挟む２つの時間帯の平均値の線形関係を用いて得る方法が挙げられる。
【００５６】
図７（Ａ）は、図６に示される血圧変動表示がなされている状態において時刻を指定するための表示の具体例を示す図である。この場合、時刻入力スイッチ１５には１０キーなどが含まれて、１０キーを用いて具体的に時刻入力する。図７（Ｂ）は、指定された時刻における平均値の表示の具体例を示す図である。なお、図７（Ｂ）に示されるように、平均値の表示に加えて、指定された時刻が１日の血圧変動のうちのどこに該当するかを表示することが好ましい。
【００５７】
なお、時刻指定の方法や表示方法は図７（Ａ），（Ｂ）に示される方法に限定されず、その他のすべての方法が含まれ得る。たとえば、時刻入力スイッチ１５には左右キーやスクロールキーが含まれて、血圧変動表示には（図７（Ｂ）における太線のような）ある時刻を示す印が含まれて、左右キーやスクロールキーを操作して所望の時刻になるよう血圧変動表示の上でその印を動かすことで、その印がある時刻の平均値を表示するように構成されていてもよい。
【００５８】
また、時刻を指定するタイミングは血圧変動表示がなされたタイミングに限定されず、血圧変動表示に関わらずに時刻が指定されてもよい。その場合、血圧変動表示を行なうことなく指定された時刻の平均値、指定された時刻を含む時間帯の平均値、または指定された時刻の推定値を表示するようにしてもよい。これは、以降の処理においても同様である。
【００５９】
［血圧変動曲線表示処理］
上記ステップＳ１４での血圧変動表示処理として、ここでは、１日間の時刻（０時から翌０時直前まで）軸上に定義される血圧の変化曲線である血圧変動曲線を表示する処理を説明する。血圧変動曲線は、被験者の血圧がどの時間にどの程度上昇・降下するかを示す。
【００６０】
まず、血圧変動曲線は時間ｔ（たとえば、午前０時を基準にした分単位の時刻）の関数であり、たとえば、次のような一般式で定義される。
ＢＰ（ｔ）＝Ａｔ3＋Ｂｔ2＋Ｃｔ＋Ｄ…式（１）
ここで、定数Ａ，Ｂ，Ｃ，Ｄは、血圧記憶部１７に記憶された複数の血圧値とそれに対応付けられた時刻とによって決定される。より具体的には、式（１）を、血圧値と時刻との近似式として特別式にすることによって上記定数が決定できる。これは、一般的な数値解析の手法である。
【００６１】
図８は血圧変動曲線表示処理を示すフローチャートである。図８を参照して、まず、ＳＴ．２０１で血圧変動曲線の関数Ｆ（ｔ）が特定される。つまり、ＣＰＵ１１は式（１）の定数Ａ，Ｂ，Ｃ，Ｄの値を特定して、具体的な時間の関数を求める。具体的な方法として最小二乗法やエントロピー法など広く知られた手法が多くあり、いずれの手法も採用され得る。
【００６２】
次にＳＴ．２０２でＣＰＵ１１は時間分布の評価を実行する。ここでは血圧変動曲線は２４時間の時間区間で定義されているものとする（定義区間）。定義区間の長さは処理の目的やデータの集まり方によって変更してもよいが、いずれにしても血圧変動曲線を正確に算出するには、測定値データが定義区間全体にわたってある程度均一に分布している必要がある。その条件を判定するのが時間分布の評価である。
【００６３】
次にＳＴ．２０３ではＳＴ．２０２で行なった時間分布の評価結果を示す変数ＴＶの値が参照され、評価結果が血圧変動曲線を算出する条件を満足していることを示す１である場合には（ＳＴ．２０３でＹＥＳ）、ＳＴ．２０４に移行し、そうでない場合には（ＳＴ．２０３でＮＯ）ＳＴ．２０７に移行して、血圧変動曲線が算出不可能である旨のエラー表示を表示して処理を終了する。
【００６４】
ＳＴ．２０４では、ＳＴ．２０１で決定された血圧変動曲線が、実測された測定値とどれ程合致しているかを評価するため、ＣＰＵ１１において残差Ｅが算出される。残差とは、複数の実測値（測定値）と血圧変動曲線との差を表現する、１つの数値である。
【００６５】
次にＳＴ．２０５では、残差Ｅが許容範囲を示すしきい値ＴＨより大きいかどうかを判定し、大きい場合には（ＳＴ．２０５でＹＥＳ）、正確な血圧変動曲線が得られていないとして、ＳＴ．２０７に移行し、その旨をエラー表示して一連の処理を終了する。
【００６６】
一方、残差Ｅがしきい値ＴＨ内であった場合には（ＳＴ．２０５でＮＯ）、血圧変動曲線が十分に正確に測定値を表わしていると判断され、ＳＴ．２０６でＣＰＵ１１は血圧変動曲線を表示器１２に表示するための処理を実行して一連の処理を終了する。
【００６７】
図９は、上記ＳＴ．２０２で実行される時間分布の評価処理を示すフローチャートである。まず、この処理では、定義区間がいくつかの領域に分割される。たとえば、２４時間の定義区間が４つの６時間の長さの小区間に分割される、などが考えられる。
【００６８】
図９を参照して、はじめに、ＳＴ．３０１でＣＰＵ１１は、小区間のポインタｈを１、評価結果を表わす変数ＴＶを０にそれぞれ初期化する。次にＳＴ．３０２で、測定値データのポインタｉを１に、小区間内に含まれる測定値データの数を表わすカウンタＮ（ｈ）を０に初期化する。
【００６９】
次にＳＴ．３０３では、ポインタｉで特定された測定値に対応付けられた時間情報Ｔ（ｉ）が、ポインタｈで特定された小区間の範囲内であるかが判定され、範囲内であれば（ＳＴ．３０３でＹＥＳ）、カウンタＮ（ｈ）が１加算される。
【００７０】
次にＳＴ．３０５でポインタｉが１加算され、ＳＴ．３０６でポインタｉがデータ総数を表わす変数ｉＭＡＸを超えたかどうかが判定され、超えていない場合は（ＳＴ３０６でＮＯ）、ＳＴ．３０３に戻って、次のデータについて同じ処理が繰返される。
【００７１】
ＳＴ．３０６でポインタｉが変数ｉＭＡＸを超えた場合、すなわちｉ＞ｉＭＡＸとなった場合（ＳＴ３０６でＹＥＳ）、ＳＴ．３０７に移行して、ポインタｈで特定された小区間の範囲内に含まれるデータ数Ｎ（ｈ）が５以上であるかどうかが判定される。データ数Ｎ（ｈ）が５未満である場合には（ＳＴ．３０７でＮＯ）、データ数が不足であるとして、そのまま処理を終了する。一方、データ数Ｎ（ｈ）が５以上である場合、すなわちＮ（ｈ）≧５である場合には（ＳＴ．３０７でＹＥＳ）、ＳＴ．３０８でポインタｈが小区間の数ｈＭＡＸを超えたか否かが判定され、超えていない場合は（ＳＴ．３０８でＮＯ）、ＳＴ．３０２に戻って、次の小区間について同じ処理を繰返す。
【００７２】
一方、ポインタｈが小区間の数ｈＭＡＸを超えていない場合、つまりｈＭＡＸ＞ｈとなった場合は（ＳＴ．３０７でＮＯ）、ＳＴ．３０９で各小区間に含まれるデータ数のばらつきが評価される。このばらつきの評価法には種々考えられるが、たとえば、各小区間に含まれるデータ数の標準偏差ＳＤを算出し、それが許容範囲を示すしきい値ＳＤＭＡＸを超えるか否かを判定するなどが考えられる。この標準偏差ＳＤの算出方法としては一般的な標準偏差の算出方法が採用され得る。ＳＴ．３０９でＣＰＵ１１は、このような判定を行ない、標準偏差ＳＤが許容範囲内であれば、その旨を表わす変数ＴＶに１を代入して一連の処理を完了する。
【００７３】
図１０は、上記ＳＴ．２０４で実行される残差の算出処理を示すフローチャートである。図１０を参照して、始めに、ＳＴ．４０１でＣＰＵ１１は、データのポインタｉを１に、総和変数Σを０にそれぞれ初期化する。
【００７４】
次にＳＴ．４０２で、ポインタｉで特定される測定値に対応付けられた時間Ｔ（ｉ）における血圧変動曲線の値Ｆ（Ｔ（ｉ））と、測定値ＳＢＰ（ｉ）との差Ｆ（Ｔ（ｉ））−ＳＢＰ（ｉ）の２乗を、総和変数Σに加算する。次に、ＳＴ．４０３でポインタｉを１加算し、ＳＴ．４０４でポインタｉがデータ総数ｉＭＡＸを超えたか否かを判定し、超えていない場合には（ＳＴ．４０４でＮＯ）、ＳＴ．４０２に戻って同じ処理を繰返す。ポインタｉがデータ総数ｉＭＡＸを超えている場合は（ＳＴ．４０４でＹＥＳ）、ＳＴ．４０５に移り、残差Ｅを算出する。残差Ｅは、総和変数Σに代入されている血圧変動曲線と全測定値との差の平方和をデータ数ｉＭＡＸで除して得られる。
【００７５】
図１１は、以上の処理の結果、表示器１２に表示される、血圧変動曲線表示の具体例を示す図である。このような血圧変動曲線を得るには、従来はＡＢＰＭを常時装着しなければならなかったが、血圧計１で上記処理が実行されることで、複数の日にわたって日によっては異なった時間帯で測定された血圧値を統合して１日の血圧変動曲線を算出することができる。
【００７６】
さらに図１１に示される血圧変動表示がなされている状態において時刻入力スイッチ１５を用いて時刻の指定がなされた場合（上記ステップＳ１５でＹＥＳ）、ＣＰＵ１１は上記処理の結果得られた血圧変動曲線から指定された時刻の値を取得して、指定された時刻の推定値として表示する。
【００７７】
図１２（Ａ）は、図１１に示される血圧変動表示がなされている状態において時刻を指定するための表示の具体例を示す図である。この場合、時刻入力スイッチ１５には１０キーなどが含まれて、１０キーを用いて具体的に時刻入力する。図１２（Ｂ）は、指定された時刻における推定値の表示の具体例を示す図である。なお、図１２（Ｂ）に示されるように、推定値の表示に加えて、指定された時刻が一日の血圧変動のうちのどこに該当するかを表示することが好ましい。
【００７８】
［変形例１］
上記実施の形態においては、上記ステップＳ１１で測定開始スイッチ１３が押されたことが検出されると血圧測定が開始されるものとし、使用者の任意の時刻に血圧測定が行なわれるものとしたが、予め設定された時刻に使用者に測定時間であることを報知したり、自動的に予め設定された時刻になると血圧測定を起動したりしてもよい。また、手動での開始と自動開始とが組合わされてもよい。
【００７９】
図１３は、第１の変形例にかかる血圧計１の機器構成の具体例を示す図である。第１の変形例にかかる血圧計１は、図１に示される構成に加えて、測定時刻供給部１９と報知部２０とを含んで構成される。また、計時部１８の出力がＣＰＵ１１にも供給されている。
【００８０】
測定時刻供給部１９は測定時刻を記憶し、その情報をＣＰＵ１１に供給する。測定時刻は予め記憶されているものであってもよいし、所定の操作手段（たとえば時刻入力スイッチ１５を併用してもよいし、不図示の操作手段を備えてもよい）を用いて入力して記憶されるものであってもよい。
【００８１】
ＣＰＵ１１は計時部１８から常時現在時刻を受信し続け、その現在時刻と測定時刻供給部１９から供給された次の測定時刻とを比較する。そして、両者が一致した時点で、報知部２０に制御信号を出力する。報知部２０はＣＰＵ１１からの制御信号にしたがって使用者に測定時間であることを報知する。ここでの報知方法は限定されず、たとえば音声や振動等、あらゆる報知方法が採用され得る。
【００８２】
さらに、報知部２０に制御信号が出力される場合とは別に、ＣＰＵ１１は現在時刻と次の測定時刻とが一致した時点で、血圧測定部１６に制御信号を出力し、自動的に血圧測定を開始されてもよい。その場合、報知部２０自体が血圧計１に含まれていなくてもよい。また、報知部２０に制御信号が出力され、使用者に測定時間であることが報知された後に、自動的に血圧測定が開始されてもよい。
【００８３】
さらに、測定時刻供給部１９は、日によって異なる測定時刻をＣＰＵ１１に供給するようにしてもよいし、測定時刻供給部１９は内部にランダム関数などを用いて無作為に時刻を発生する手段を備え、ランダムな時刻に測定が行なわれるように測定時刻を供給するようにしてもよいし、所定の日数ごとに血圧測定を実行する時間帯をずらせて測定時刻を供給するようにしてもよい。このようにすることで、上記処理を行なって複数日の血圧データを統合して時間帯ごとの血圧平均値を求めたり、血圧変動曲線を算出したりする際、満遍なく分布された時刻における偏りのない結果を得ることができ、算出される１日の血圧変動の精度が向上する。
【００８４】
また、使用者は一日に数回の血圧測定を行なうことを繰り返すだけで、一日の血圧変動データを取得できるので、使用者の負担が低減される。特に、睡眠中にも血圧を測定する場合、従来は睡眠中に何度も（たとえば１時間ごとに）測定する必要があり、その都度目が覚めて十分な睡眠が取れず使用者の負担が大きかった。しかし、本実施の形態にかかる血圧計では睡眠中の測定する時刻を日ごとに分散させることで、１日あたりの測定回数を減らせることができ、睡眠の障害を低減できるようになる。たとえば、１日目は夜中２３時、２時、５時に測定するように設定する。そして２日目は夜中０時、３時、６時に測定するように設定する。そして３日目は夜中１時、４時、７時に測定するように設定する。このように設定で測定されれば、１日の睡眠中に３回の測定で済み、統合後は１時間ごとの睡眠中の測定値を得たことになる。
【００８５】
［変形例２］
なお、上記処理では、１日の血圧変動を表わす血圧変動表示が行なわれたが、曜日に基づくグループに分けて変動を算出してもよい。
【００８６】
最近のいくつかの臨床研究によれば、血圧は１週間の中でも変動があり（週内変動）、それを観察することが医学的に意義があるとされている。たとえば、これは週末に休みを取る就業者の血圧がウィークディとウィークエンドとでことなるなどに代表される。そこで、前述の血圧平均値や血圧推定曲線をウィークディとウィークエンドとの間で比較できるようにすれば、臨床的に有用と思われる。
【００８７】
これは、具体的には、図４に示される記憶データのうち、曜日を示すデータＤＷ（ｉ）を利用して算出に必要なデータを取得し、血圧平均値や血圧推定曲線の算出を分けて行なうことによって実現し得る。すなわち、上記図５に示された処理において、ＳＴ．１０２で初期化された次に曜日を示す情報ＤＷ（ｉ）が所定の値であるか否か（つまり、抽出された測定値が所定の曜日の測定値であるか否か）が判定されて、所定の値である場合に、ＳＴ．１０３以降の処理が実行されるようにすればよい。
【００８８】
［変形例３］
なお、以上の説明では上記処理がすべて血圧計１のＣＰＵ１１において実行されるものとされているが、血圧計１がパーソナルコンピュータ（以下、ＰＣ）等の血圧計１とは別の外部のコンピュータ装置に測定結果を出力する手段を備えて、上記他の装置において処理のすべて、または一部が行なわれてもよい。
【００８９】
図１４はその場合の血圧計１を含むシステムの構成の具体例を示す図であり、具体的に、血圧計１とＰＣ５との構成の具体例を示す図である。血圧計１とＰＣ５とは有線または無線によって接続されている。
【００９０】
図１４を参照して、第３の変形例にかかる血圧計１は図１に示される構成に加えて、他の装置に測定結果を出力するための送信部２２を含んで構成される。また、上記血圧変動表示処理が他の装置において実行されるものとすると、その処理を行なわせるための血圧変動表示スイッチ１４や時刻入力スイッチ１５が含まれていなくてもよい。
【００９１】
送信部２２はＣＰＵ１１からの制御信号にしたがって、図４に示されたような、血圧記憶部１７に記憶された測定結果のデータをＰＣ５に対して送信する。
【００９２】
ＰＣ５は、全体を制御するＣＰＵ５１、ディスプレイ等の表示部５２、キーボードやマウスなどの指示入力部５３、上記送信部２２から送信された測定結果を受信する受信部５４、および受信した測定結果を記憶する血圧記憶部５５を含んで構成される。
【００９３】
また、血圧計１は上記送信部２２に替えて記録媒体に測定結果を書込む書込部を備え、ＰＣ５は上記受信部５４に替えて上記記録媒体から測定結果を読出す読出部を備えて、血圧計１とＰＣ５とが上記記録媒体を介して測定結果のやり取りを行なってもよい。
【００９４】
第３の変形例においては、ＰＣ５の入力部５３において血圧変動を表示するための指示や、血圧値または推定値を表示する時刻の指定を受付けると、受信部５４で受信されて血圧記憶部５５に記憶されている測定結果を取得し、ＣＰＵ５１において上記処理が実行される。
【００９５】
さらに、上記処理をＰＣ５において実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００９６】
なお、本発明にかかるプログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００９７】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００９８】
提供されるプログラム製品は、ハードディスクなどのプログラム格納部にインストールされて実行される。なお、プログラム製品は、プログラム自体と、プログラムが記録された記録媒体とを含む。
【００９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１００】
【図１】血圧計１の機器構成の具体例を示す図である。
【図２】血圧計１の動作の流れの具体例を示すフローチャートである。
【図３】測定・記憶処理を示すフローチャートである。
【図４】血圧記憶部１７に記憶される測定結果の具体例を示す図である。
【図５】時間帯ごとの血圧平均値を表示する処理を示すフローチャートである。
【図６】時間帯ごとの平均値である血圧変動表示の具体例を示す図である。
【図７】時刻を指定するための表示の具体例、および指定された時刻における平均値の表示の具体例を示す図である。
【図８】血圧変動曲線表示処理を示すフローチャートである。
【図９】時間分布の評価処理を示すフローチャートである。
【図１０】残差の算出処理を示すフローチャートである。
【図１１】血圧変動曲線表示の具体例を示す図である。
【図１２】時刻を指定するための表示の具体例、および指定された時刻における推定値の表示の具体例を示す図である。
【図１３】第１の変形例にかかる血圧計１の機器構成の具体例を示す図である。
【図１４】第３の変形例にかかる、血圧計１を含むシステムの構成の具体例を示す図である。
【符号の説明】
【０１０１】
１  血圧計、５  ＰＣ（パーソナルコンピュータ）、１０  筐体、１１  ＣＰＵ、１２  表示器、１３  測定開始スイッチ、１４  血圧変動表示スイッチ、１５  時刻入力スイッチ、１６  血圧測定部、１７，５５  血圧記憶部、１８  計時部、１９  測定時刻供給部、２０  報知部、２２  送信部、３０  腕帯、５０  エアチューブ、５１  ＣＰＵ、５２  表示部、５３  指示入力部、５４  受信部。
【図１】
2007282668.tif 000003
【図２】
2007282668.tif 000004
【図３】
2007282668.tif 000005
【図４】
2007282668.tif 000006
【図５】
2007282668.tif 000007
【図６】
2007282668.tif 000008
【図７】
2007282668.tif 000009
【図８】
2007282668.tif 000010
【図９】
2007282668.tif 000011
【図１０】
2007282668.tif 000012
【図１１】
2007282668.tif 000013
【図１２】
2007282668.tif 000014
【図１３】
2007282668.tif 000015
【図１４】
2007282668.tif 000016